【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
原子炉格納容器に格納された原子炉圧力容器の蒸気領域に接続された凝縮槽と、
前記凝縮槽に一端が接続された基準水柱計装配管と、
前記原子炉圧力容器に一端が接続された第１の変動水柱計装配管と、
前記基準水柱計装配管および前記第１の変動水柱計装配管の他端と接続され、前記基準水柱計装配管および前記第１の変動水柱計装配管の水頭差を検出する差圧計測式の第１の水位計と、
前記第１の水位計とは異なる非差圧式水位計の構成を有し、前記原子炉圧力容器の水位を検出する第２の水位計と、
前記原子炉格納容器または前記原子炉圧力容器の状態に基づいて、前記第１の水位計または前記第２の水位計を選択し、選択された水位計の検出結果に基づいて前記原子炉圧力容器の水位を指示・記録する演算装置とを備え、
前記第２の水位計は、前記原子炉圧力容器内または前記原子炉圧力容器外に配置され、前記差圧計測式とは異なる方式で前記原子炉圧力容器の水位を検出することを特徴とする原子炉水位計測システム。
【請求項２】
前記第１の水位計は、
水位変動が狭い範囲の水位を計測する狭帯域水位計と、
前記狭帯域水位計の計測範囲より広い範囲の水位を計測する広帯域水位計と、
前記広帯域水位計の計測範囲より低い水位を計測する燃料域水位計と、
定期検査時に想定される水位を計測する定期検査時水張り用水位計とを有し、
前記第２の水位計は、前記原子炉圧力容器の水位が前記燃料域水位計の計測範囲よりも低い水位を計測範囲とする請求項１記載の原子炉水位計測システム。
【請求項３】
前記演算装置は、前記原子炉格納容器のドライウェルの雰囲気温度と、原子炉圧力の飽和温度を取得し、前記ドライウェルの雰囲気温度が前記原子炉圧力の飽和温度より大きい場合、前記第２の水位計を選択する請求項１または２記載の原子炉水位計測システム。
【請求項４】
前記演算装置は、前記広帯域水位計により検出された水位が設定水位よりも小さく、かつ前記原子炉圧力が設定圧力より小さい場合、前記燃料域水位計を選択し、
さらに前記燃料域水位計が計測不能である場合、前記第２の水位計を選択する請求項２記載の原子炉水位計測システム。
【請求項５】
前記演算装置は、水位が前記燃料域水位計の計測範囲の下限を下回った場合、前記第２の水位計を選択する請求項４記載の原子炉水位計測システム。
【請求項６】
前記基準水柱計装配管および前記変動水柱計装配管に水張りが行われ前記燃料域水位計が計測可能となった場合、前記演算装置は、前記燃料域水位計を選択する請求項４記載の原子炉水位計測システム。
【請求項７】
前記基準水柱計装配管および前記変動水柱計装配管に水張りが行われず、かつ前記原子炉圧力が前記設定圧力より大きい場合、前記演算装置は前記第２の水位計を選択する請求項４記載の原子炉水位計測システム。
【請求項８】
前記基準水柱計装配管および前記変動水柱計装配管に水張りが行われない場合、
前記演算装置は、前記原子炉圧力が前記設定圧力以下であり、かつ前記広帯域水位計および定検時水張り用水位計の出力の変動を検出した場合、前記定検時水張り用水位計を選択する請求項４記載の原子炉水位計測システム。
【請求項９】
前記原子炉圧力容器に接続された原子炉冷却材再循環流量系配管と、
前記原子炉冷却材再循環流量系配管に一端が接続された第２の変動水柱計装配管とをさらに備え、
前記第２の水位計は、前記基準水柱計装配管および前記第２の変動水柱計装配管の他端と接続され、前記基準水柱計装配管および前記第２の変動水柱計装配管の水頭差を検出する差圧計測式の水位計である請求項１記載の原子炉水位計測システム。
【請求項１０】
前記原子炉圧力容器に接続された原子炉冷却材浄化設備系配管と、
前記原子炉冷却材浄化設備系配管に一端が接続された第３の変動水柱計装配管とをさらに備え、
前記第２の水位計は、前記基準水柱計装配管および前記第３の変動水柱計装配管の他端と接続され、前記基準水柱計装配管および前記第３の変動水柱計装配管の水頭差を検出する差圧計測式の水位計である請求項１記載の原子炉水位計測システム。
【請求項１１】
原子炉圧力容器内における燃料有効長下端より下方の水位を検出可能な位置に一端が接続された第４の変動水柱計装配管をさらに備え、
前記第２の水位計は、前記基準水柱計装配管および前記第４の変動水柱計装配管の他端と接続され、前記基準水柱計装配管および前記第４の変動水柱計装配管の水頭差を検出する差圧計測式の水位計である請求項１記載の原子炉水位計測システム。
【請求項１２】
前記第２の水位計は、前記原子炉圧力容器の炉心シュラウド内に配置された水位計であり、
前記演算装置は、選択された前記第２の水位計に基づいて出力された水位は前記炉心シュラウド内の水位である旨を、前記水位と共に出力する請求項１または２記載の原子炉水位計測システム。
【請求項１３】
前記第１の水位計および前記第２の水位計は、計測範囲が重複し、
前記演算装置は、前記第１の水位計と前記第２の水位計の検出値により求まる前記原子炉圧力容器の水位を比較し、両者の水位が異なる場合、前記第１の水位計と前記第２の水位計との間の係数を求め、前記係数に基づいて前記第１の水位計の検出値を校正する請求項１または２記載の原子炉水位計測システム。
【請求項１４】
前記第２の水位計は、異なる方式により水位を計測する複数の水位計であり、
前記演算装置は、複数の前記第２の水位計より得られる検出結果のうち、オーバースケールまたはダウンスケールした数値がある場合、前記オーバースケールまたはダウンスケールした数値を検出した水位計以外の水位計を選択する請求項１または２記載の原子炉水位計測システム。
【請求項１５】
前記第２の水位計は、異なる方式により水位を計測し、多区分に設けられた複数の水位計であり、
前記演算装置は、区分間の指示値のばらつきを計算し、ばらつきが増大した場合、異常値を示す前記第２の水位計以外の水位計を選択する請求項１または２記載の原子炉水位計測システム。
【請求項１６】
前記第２の水位計は、炉心シュラウド内に複数箇所設置され、
前記演算装置は、いずれかの前記第２の水位計に異常が検出された場合、異常が検出された前記第２の水位計以外の水位計の検出結果に基づいて前記原子炉圧力容器の水位を指示・記録する請求項１または２記載の原子炉水位計測システム。
【手続補正２】
【補正対象書類名】明細書
【補正対象項目名】０００８
【補正方法】変更
【補正の内容】
【０００８】
本発明に係る原子炉水位計測システムは、上述した課題を解決するために、原子炉格納容器に格納された原子炉圧力容器の蒸気領域に接続された凝縮槽と、前記凝縮槽に一端が接続された基準水柱計装配管と、前記原子炉圧力容器に一端が接続された第１の変動水柱計装配管と、前記基準水柱計装配管および前記第１の変動水柱計装配管の他端と接続され、前記基準水柱計装配管および前記第１の変動水柱計装配管の水頭差を検出する差圧計測式の第１の水位計と、前記第１の水位計とは異なる非差圧式水位計の構成を有し、前記原子炉圧力容器の水位を検出する第２の水位計と、前記原子炉格納容器または前記原子炉圧力容器の状態に基づいて、前記第１の水位計または前記第２の水位計を選択し、選択された水位計の検出結果に基づいて前記原子炉圧力容器の水位を指示・記録する演算装置とを備え、前記第２の水位計は、前記原子炉圧力容器内または前記原子炉圧力容器外に配置され、前記差圧計測式とは異なる方式で前記原子炉圧力容器の水位を検出することを特徴とする。